(57)【特許請求の範囲】
【請求項１】
油圧式緩衝器の油通路に接続する第１の連結部材と、前記油圧式緩衝器とは別体の油圧装置の油通路に接続する第２の連結部材とを着脱可能に連結し、前記両油圧機器どうしを接続する油通路を分断・連通可能に接続する車両用油圧管連結装置において、前記第１の連結部材および第２の連結部材に、前記油通路に連通する内部油通路をこれら両連結部材の連結により他方の連結部材の内部油通路に連通するように形成するとともに、両連結部材の着脱方向に移動することによって前記内部油通路を開閉する弁体を設け、この弁体を、両連結部材が連結することにより他方の連結部材の弁体を押圧して前記内部油通路を開き、両連結部材を離間させることにより前記内部油通路を閉じる構造とし、両連結部材の連結部は、これら両連結部材のうち何れか一方に形成した凹部と、この凹部に連結部材どうしが互いに当接するまで嵌合する他方の連結部材の凸部とを備え、前記凹部と凸部との間にシール部材を介装し、両連結部材のうち一方にねじ部材を回転自在に設け、他方に前記ねじ部材が螺着するねじを形成し、これらねじ部材とねじとのねじ結合により連結部材どうしを締結させたことを特徴とする車両用油圧管連結装置。
【請求項２】
請求項１記載の車両用油圧管連結装置において、両連結部材どうしを締結するねじ部材をナットによって形成するとともに、ねじを雄ねじによって形成し、前記雄ねじを形成する連結部材に工具係合部を形成し、この工具係合部を、両連結部材どうしを締結させた位置にあるナットに対して予め定めた寸法だけ離間するように位置付けたことを特徴とする車両用油圧管連結装置。
【請求項３】
請求項１記載の車両用油圧管連結装置において、油圧式緩衝器に第１の連結部材を一体的に形成するとともに第２の連結部材を接続するねじを形成し、第２の連結部材に回転自在に設けたねじ部材を前記油圧式緩衝器のねじに螺着させることによって第１および第２の連結部材どうしを締結させたことを特徴とする車両用油圧管連結装置。
【請求項４】
請求項１記載の車両用油圧管連結装置において、油圧装置に第２の連結部材を一体的に形成するとともに、第１の連結部材を接続するねじを形成し、第１の連結部材に回転自在に設けたねじ部材を前記油圧装置のねじに螺着させることによって第１および第２の連結部材どうしを締結させたことを特徴とする車両用油圧管連結装置。
【請求項５】
請求項３または請求項４記載の車両用油圧管連結装置において、ねじ部材を雄ねじによって形成したことを特徴とする車両用油圧管連結装置。
【発明の詳細な説明】
【０００１】
【発明の属する技術分野】
本発明は、自動車や自動二輪車などの車両の油圧式緩衝器と油圧装置との間の油通路を分断・連通可能に接続する車両用油圧管連結装置に関するものである。
【０００２】
【従来の技術】
従来、自動車の後輪あるいは前輪の懸架装置としては、車体の左右両側の油圧式緩衝器にこれらとは別体の減衰力調整用油圧装置を接続したものがある。この油圧装置は、前記左右両側の油圧式緩衝器の間に配置して車体の下部に固定している。このため、これら油圧機器を接続する油圧管は車体下部を車幅方向に横切るように延びている。
【０００３】
前記油圧式緩衝器および油圧装置は、車体への組付けや、保守作業を行うときに個々に車体に対して着脱することができるようにしなければならないので、これらの油圧機器どうしを接続する油圧管に油圧管連結装置を介装し、この油圧管連結装置によって油圧式緩衝器側の油通路と油圧装置側の油通路とを分断・連通可能になるように接続している。
【０００４】
前記油圧式緩衝器や油圧装置は、車体組立てラインとは別のラインで製造し、車体に組付ける以前に全てを接続して作動油を充填し、性能検査・減衰力調整を行っている。二つの油圧式緩衝器を油圧装置に接続したままの状態ではこれらを車体に装着することが難しいため、前記油圧管連結装置で油圧管を分断し、油圧式緩衝器と油圧装置を個々に車体に装着している。そして、装着後に油圧管連結装置によって前記油圧管を連結している。一方、油圧式緩衝器を単体で交換するような保守作業を行うときにも、前記同様に油圧管連結装置によって油圧管の分断・連結を実施している。
【０００５】
従来のこの種の油圧管連結装置としては、例えば特開平９−９５１１９号公報に開示されたものがある。この公報に示された油圧管連結装置は、緩衝器から延びる油圧管に接続した第１の連結部材と、油圧装置から延びる油圧管に接続し、前記の第１の連結部材に着脱可能に構成した第２の連結部材とを備え、これら両連結部材どうしを連結した状態で各連結部材内のねじ式の栓部材を開操作することによって、緩衝器側の油通路と油圧装置側の油通路とが連通する構造を採っている。
【０００６】
この油圧管連結装置において両連結部材どうしの連結は、各連結部材のハウジングに一体に形成したフランジどうしをボルトで締結させることによって行い、前記栓部材の開閉は、先ず、栓部材がねじ込まれているねじ孔の保護キャップを外し、このねじ孔に手工具を挿入して栓部材を回すことによって行う。
【０００７】
すなわち、前記栓部材を閉操作して油通路を閉塞することによって、油が漏洩するのを阻止しながら第１の連結部材と第２の連結部材とを分断させることができ、性能検査・減衰力調整が終了した油圧式緩衝器と油圧装置とを個々に車体に対して着脱することができる。そして、油圧式緩衝器と油圧装置を車体に装着した後に、第１の連結部材と第２の連結部材とを互いに連結させ、栓部材を開操作して前記キャップを取付けることによって、油圧式緩衝器と油圧装置との間の油圧系を分断前の状態に戻すことができる。
【０００８】
なお、作動油の充填、性能検査・減衰力調整は、油圧式緩衝器と油圧装置とをそれぞれ別個に組立てた状態で行うこともある。この場合には、油圧式緩衝器と油圧装置のそれぞれに対して作動油を充填し、性能検査・減衰力調整を実施した後に、油圧式緩衝器および油圧装置を車体に組付け、しかる後に第１の連結部材と第２の連結部材とを互いに連結している。
【０００９】
第１の連結部材と第２の連結部材は、上述したように互いに連結した状態で車体に固定用ブラケットによって固定している。この固定用ブラケットは、第１の連結部材と第２の連結部材とを車体に強固に固定しなければならないから、相対的に大型のものを使用している。このような大型の固定用ブラケットは、他の部材との干渉によって必ずしも最適な位置、すなわち油圧管が最短になるような位置に配置することができない場合がある。このような場合には、油圧管を必要以上に長く形成することによって対処している。
【００１０】
【発明が解決しようとする課題】
しかるに、上述したように構成した従来の油圧管連結装置を使用すると、油通路の分断・連通をする作業の作業時間が長くなるという問題があった。これは、第１の連結部材と第２の連結部材の連結・分断作業と、栓部材の開閉作業とを別々に行わなければならないことが原因である。
【００１１】
また、従来の油圧管連結装置は、栓部材の開閉を人手に頼っているため、栓部材が全開位置に達していることを作業終了後に確認しなければならなかった。この確認作業は、先ず、栓部材がねじ込まれているねじ孔を閉塞する保護キャップを取外し、このねじ孔の開口端と栓部材との間の寸法を専用の測定具で計測することによって実施している。このように工数が多い確認作業を実施しなければならないため、従来の油圧管連結装置はコストダウンを図るにも限界があった。
【００１２】
このような不具合を解消するためには、二つの連結部材をいわゆるワンタッチ式に着脱できるように形成し、各連結部材の内側に連結操作によって開くような自動開閉弁を設けることが考えられる。しかし、このような連結装置は、自動車の油圧式緩衝器と油圧装置との間の油圧系には介装することはできない。これは、車両用油圧式緩衝器と油圧装置との間の油通路は油圧が高く、人力によって前記高い油圧に抗して前記自動開閉弁を開くことはできないからである。また、ワンタッチ着脱式の連結装置は連結部の隙間が相対的に広く、二つの連結部材を互いに連結した状態でも一方の連結部材に対して他方の連結部材が僅かに移動することができるから、これを自動車に取付けると、走行時の振動によって前記可動部が摩耗し、摩耗粉によってシール性が低下してしまうからである。
【００１３】
また、自動車などの車両に搭載するこの種の油圧管連結装置においては、更なるコストダウンを図ることが要請されている。
【００１４】
本発明はこのような問題点を解消するためになされたもので、油圧式緩衝器側の連結部材と油圧装置側の連結部材とを簡単に着脱することができる車両用油圧管連結装置を提供することを第１の目的とし、この種の車両用油圧管連結装置を低コストで実現できるようにすることを第２の目的とする。
【００１５】
【課題を解決するための手段】
この目的を達成するために本発明に係る車両用油圧管連結装置は、油圧式緩衝器に接続する第１の連結部材および油圧装置に接続する第２の連結部材に、両連結部材の連結により互いに連通する内部油通路を形成するとともに、両連結部材の着脱方向に移動して前記内部油通路を開閉する弁体を設け、この弁体を、両連結部材を連結することにより他方の連結部材の弁体を押圧して前記内部油通路を開き、両連結部材を離間させることにより前記内部油通路を閉じる構造とし、両連結部材の連結部は、一方の連結部材に形成した凹部と、この凹部に連結部材どうしが互いに当接するまで嵌合する他方の連結部材の凸部とを備え、前記凹部と凸部との間にシール部材を介装し、一方の連結部材に回転自在に設けたねじ部材を他方の連結部材に形成したねじに螺着することによって、連結部材どうしを締結させたものである。
【００１６】
本発明によれば、第１の連結部材と第２の連結部材とを締結することによって両連結部材の弁体が油圧に抗して開き、両連結部材を分断することによって前記弁体が閉じる。したがって、専ら弁体を開閉させる作業を実施することなく、両連結部材の連結作業・分断作業によって弁体が自動的に開閉する。
【００１７】
請求項２に記載した発明に係る車両用油圧管連結装置は、上述した発明に係る車両用油圧管連結装置において、連結部材どうしを締結するねじ部材をナットによって形成するとともにねじを雄ねじによって形成し、前記雄ねじを形成する連結部材に工具係合部を形成し、この工具係合部を、両連結部材どうしを締結させた位置にあるナットに対して予め定めた寸法だけ離間するように位置付けたものである。
【００１８】
この発明によれば、工具係合部とナットとの間の寸法を予め定めた締結時の寸法と比較することによって、連結部材どうしを締結させた後に弁体が開いているか否かを確認することができる。
【００１９】
請求項３に記載した発明に係る車両用油圧管連結装置は、請求項１記載の車両用油圧管連結装置において、油圧式緩衝器に第１の連結部材を一体的に形成するとともに、第２の連結部材を接続するねじを形成し、第２の連結部材に回転自在に設けたねじ部材を前記油圧式緩衝器のねじに螺着させることによって第１および第２の連結部材どうしを締結させたものである。
【００２０】
この発明によれば、第１の連結部材は油圧式緩衝器に直接支持され、第２の連結部材は第１の連結部材に接続することによって第１の連結部材を介して前記油圧式緩衝器に支持されるから、従来の連結装置に較べてこれら両連結部材を車体に固定する作業が不要になる。
また、前記両連結部材を車体に固定するためのブラケットが不要になるとともに、車体に固定するのは第２の連結部材を油圧装置に接続する油圧管だけでよいから、この発明に係る油圧管連結装置を使用するために用いるブラケットは、前記油圧管を支えるための相対的に小さな油圧管用ブラケットのみになる。
さらに、従来の連結装置に較べて第１の連結部材のハウジングが不要になるとともに、第１の連結部材を油圧式緩衝器に接続する油圧管が不要になる。
【００２１】
請求項４に記載した発明に係る車両用油圧管連結装置は、請求項１記載の車両用油圧管連結装置において、油圧装置に第２の連結部材を一体的に形成するとともに、第１の連結部材を接続するねじを形成し、第１の連結部材に回転自在に設けたねじ部材を前記油圧装置のねじに螺着させることによって第１および第２の連結部材どうしを締結させたものである。
【００２２】
この発明によれば、第２の連結部材は油圧装置に直接支持され、第１の連結部材は第２の連結部材に接続することによって第２の連結部材を介して前記油圧装置に支持されるから、従来の連結装置に較べてこれら両連結部材を車体に固定する作業が不要になる。
また、前記両連結部材を車体に固定するためのブラケットが不要になるとともに、車体に固定するのは第１の連結部材を油圧式緩衝器に接続する油圧管だけでよいから、この発明に係る油圧管連結装置を使用するために用いるブラケットは、前記油圧管を支えるための相対的に小さな油圧管用ブラケットのみになる。
さらに、従来の連結装置に較べて第２の連結部材のハウジングが不要になるとともに、第２の連結部材を油圧装置に接続する油圧管が不要になる。
【００２３】
請求項５に記載した発明に係る車両用油圧管連結装置は、請求項３または請求項４記載の車両用油圧管連結装置において、ねじ部材を雄ねじによって形成したものである。
【００２４】
この発明によれば、油圧式緩衝器に一体的に形成した第１の連結部材や、油圧装置に一体的に形成した第２の連結部材には、他方の連結部材の雄ねじが螺着する雌ねじが形成されるから、油圧機器に連結部材を一体的に形成する構造を採りながら、この油圧機器に突出部が形成されるのを阻止することができる。
【００２５】
【発明の実施の形態】
第１の実施の形態
以下、本発明に係る車両用油圧管連結装置の一実施の形態を図１ないし図６によって詳細に説明する。
【００２６】
図１は本発明に係る油圧管連結装置を備えた自動車用緩衝装置の構成を示す図で、同図（ａ）は油圧系全体を示す正面図、同図（ｂ）は油圧式緩衝器の構成図である。図２は油圧装置の構成を示す断面図である。図３は本発明に係る油圧管連結装置のプラグを示す図で、同図（ａ）はプラグハウジングに弁体を装着した状態を示す断面図、同図（ｂ）はプラグハウジングを油圧式緩衝器側から見た状態を示す側面図、同図（ｃ）はナットの断面図、同図（ｄ）はナットを油圧式緩衝器側から見た状態を示す側面図である。
【００２７】
図４は本発明に係る油圧管連結装置のソケットを示す図で、同図（ａ）はソケットハウジングに弁体を装着した状態を示す断面図、同図（ｂ）はソケットハウジングを油圧装置側から見た状態を示す側面図である。図５は油圧管連結装置の動作を説明するための断面図で、同図（ａ）はプラグとソケットが分断している状態を示し、同図（ｂ）は弁体どうしが接触するまでナットを締め込んだ状態を示し、同図（ｃ）は締結後の状態を示す。図６は耐圧ホースとの接続構造が異なるプラグを示す断面図である。ここでは、自動車の前輪用懸架装置に用いる緩衝装置に本発明を適用する場合に採る形態について説明する。
【００２８】
図１〜図６において、符号１で示すものはこの実施の形態による油圧式緩衝装置である。この緩衝装置１は、左右の前輪（図示せず）とともに車体に対して上下方向に移動する例えば前輪懸架用リンク（図示せず）と車体のシャーシ（図示せず）との間にそれぞれ介装する左右一対の油圧式緩衝器２，２と、車体に固定する油圧装置としての調圧装置３と、この調圧装置３に取付けた本発明に係る油圧管連結装置４，５と、これらの油圧管連結装置４，５と前記油圧式緩衝器２との間に介装した可撓性を有する耐圧ホース６とから構成している。
【００２９】
なお、図１は、油圧式緩衝器２の圧縮コイルばねや前輪用懸架装置の他の部材は省略した状態で描いてある。また、同図（ａ）は車体の後方から見た状態で描いてあり、同図において左側が車体左側になっている。
【００３０】
前記左右の油圧式緩衝器２は、構造が同一になるように形成しており、図１（ｂ）に示すように、作動油で満たされたシリンダ７内をピストン８によって上部油室９と下部油室１０とに画成し、このピストン８に前記両油室９，１０どうしを連通する絞り付き連通路１１を設けている。
【００３１】
前記調圧装置３は、図２に示すように、シリンダ１２内にフリーピストン１３を嵌挿してシリンダ１２内を高圧ガス室１４と油室とに画成し、この油室を、前記フリーピストン１３と一体的に設けた副ピストン１５によって右側油圧系用油室１６と左側油圧系油室１７とに画成する構造を採っている。前記副ピストン１５には前記両油室１６，１７どうしを連通する絞り付き連通路１８を設けている。また、前記油室１６と油室１７は、フリーピストン１３とともに副ピストン１５が移動したときに容積が互いに等しく増減するように構成している。
【００３２】
前記右側油圧系用油室１６に前記油圧管連結装置４および耐圧ホース６を介して車体右側の油圧式緩衝器２の前記下部油室１０を連通し、前記左側油圧系用油室１７に前記油圧管連結装置５と耐圧ホース６とを介して車体左側の油圧式緩衝器２の下部油室１０を連通している。
【００３３】
前記油圧管連結装置４，５は、耐圧ホース６を取付ける構造が互いに異なるだけで他の部分は構造が一致するように形成している。このため、重複を避けるために油圧管連結装置４，５の構成・動作の詳細な説明は、一方の油圧管連結装置４についてのみ行い、他方の油圧管連結装置５については耐圧ホース６を取付ける部分のみを説明する。
【００３４】
油圧管連結装置４は、油圧式緩衝器２に耐圧ホース６を介して接続する第１の連結部材としてのプラグ２１と、調圧装置３に固定する第２の連結部材としてのソケット２２とから構成している。
前記プラグ２１は、図３および図５に示すように、円筒状のプラグハウジング２３と、このプラグハウジング２３の中空部に形成した内部油通路２４を開閉する弁体２５と、このプラグ２１をソケット２２に締結させるためのナット２６などから構成している。
【００３５】
前記プラグハウジング２３は、図３（ａ）において右側に位置する一端部に工具係合片２７を六角ボルトの頭部を構成するように一体に形成し、他端部に、後述するソケット２２の円形凹部２８｛図５（ａ）参照｝に嵌合する相対的に径が小さい円筒２９を一体に形成している。このプラグハウジング２３の前記一端部に耐圧ホース６を接続している。
【００３６】
油圧管連結装置４のプラグ２１においては、図３（ａ）に示すように、プラグハウジング２３の中空部に耐圧ホース６の接続用ニップル６ａ（図２参照）を螺着することによって、耐圧ホース６を接続している。また、油圧管連結装置５のプラグ２１においては、図６に示すように、プラグハウジング２３の外周部に耐圧ホース６のかしめ式接続部材６ｂを固着している。図６に示す例では、前記かしめ式接続部材６ｂとプラグハウジング２３との間にＯリング３０を介装している。
【００３７】
前記円筒２９は、先端側の外周部にこの円筒２９と前記円形凹部２８との間をシールするためのＯリング３１を装着している。この円筒２９が本発明に係る凸部を構成している。
【００３８】
また、このプラグハウジング２３における前記円筒２９の基部になる部分には、ソケット２２と対向する平坦面からなるストッパー面３２を形成している。このストッパー面３２の近傍のプラグハウジング外周面に前記ナット２６を回転自在に支持させている。なお、このナット２６は、図５中に符号３３で示す２本のサークリップによってプラグハウジング２３の軸線方向への移動が阻止されている。
【００３９】
前記弁体２５は、図３（ａ）において右側に位置する段付きの円柱からなる弁軸３４と、シール部材３５を装着する円錐３６と、ソケット２２の後述する弁体を押圧する円柱からなる押圧片３７とをこの順に並ぶように一体に形成し、前記弁軸３４の小径部３４ａを図３（ａ）中に符号３８で示す支持部材に貫通させ、この支持部材３８を介してプラグハウジング２３の軸心部に軸線方向へ移動自在に支持させている。また、この弁体２５は、前記支持部材３８と前記円錐３６の底面との間に弾装した圧縮コイルばね３９によって閉じる方向｛図３（ａ）において左方向｝に付勢されている。
【００４０】
この弁体２５の前記押圧片３７は、プラグハウジング２３の前記円筒２９の内側に臨むように形成し、先端が前記円筒２９の先端面より内側に位置付けられている。この構造を採ることにより、プラグ２１をソケット２２から外した状態で押圧片３７の先端を誤って押してしまうことを阻止することができる。
なお、この実施の形態では、ナット２６のソケット側端面２６ａより内側にプラグハウジング２３の前記円筒２９が位置付けられているので、ナット２６によって前記弁体２５および円筒２９のＯリング３１などを保護することができる。
【００４１】
前記支持部材３８は、図３（ｂ）に示すように、前記弁軸３４の小径部３４ａが移動自在に嵌合する板部３８ａと、この板部３８ａをプラグハウジング２３の内壁に支持させる３本の脚部３８ｂと、これらの脚部３８ｂどうしの間から突出する３本のばね受け３８ｃとを一体に形成し、プラグハウジング２３の内部油通路２４を仕切ることなく弁体２５を支持できる構造を採っている。また、この支持部材３８には、弁体２５を移動自在に支持する機能の他に、弁体２５の移動量を規制する機能をも持たせている。
【００４２】
すなわち、弁体２５が図３（ａ）に示す全閉位置から同図において右側に移動して開くときに、前記弁軸３４の小径部３４ａと大径部３４ｂとの境界になる端面３４ｃが板部３８ａに当接することによって弁体２５の移動が規制されるように構成している。
【００４３】
前記ソケット２２は、図４および図５に示すように、円筒状のソケットハウジング４１と、このソケットハウジング４１の中空部に形成した内部油通路４２を開閉する弁体４３などから構成している。
【００４４】
前記ソケットハウジング４１は、図４（ａ）において左側に位置する一端部に前記調圧装置３に螺着する雄ねじ４４を形成するとともに、他端部に前記ナット２６が螺着する雄ねじ４５と、前記プラグハウジング２３の円筒２９が嵌入する円形凹部２８を形成している。また、ソケットハウジング４１の外周部には、工具係合片４６を六角ボルトの頭部を構成するように一体に形成している。この工具係合片４６を形成する位置は、このソケット２２とプラグ２１とを締結させたときに前記ナット２６に対してこの工具係合片４６が予め定めた寸法だけ離間するように設定している。この予め定めた寸法とは、図５（ｃ）中に符号Ｄで示す寸法のことである。
【００４５】
ソケットハウジング４１内に設ける弁体４３は、前記プラグ２１の弁体２５と構造が同一になるように形成し、プラグ２１に用いるものと同一構造の支持部材３８によってソケットハウジング４１の軸心部に軸線方向へ移動自在に支持させるとともに、圧縮コイルばね３９によって閉じる方向に付勢されている。この弁体４３の弁軸を符号４７で示し、弁軸４７の小径部を４７ａで示し、大径部を４７ｂで示し、小径部４７ａと大径部４７ｂとの境界の端面を４７ｃで示し、円錐を４８で示し、押圧片を４９で示し、シール部材を５０で示す。また、支持部材３８もプラグの支持部材と同様に、弁体４３を支持する機能の他に弁体４３の移動量を規制する機能をも持たせている。
【００４６】
このように構成した油圧管連結装置４，５を備えた緩衝装置１を自動車の車体に組付けるためには、先ず、車体の組立てラインとは別のラインで油圧式緩衝器２、調圧装置３、油圧管連結装置４，５のプラグ２１およびソケット２２をそれぞれ組立て、油圧式緩衝器２に接続した耐圧ホース６に前記プラグ２１を接続するとともに、調圧装置３に前記ソケット２２を取付ける。
【００４７】
次に、前記ソケット２２の雄ねじ４５にプラグ２１のナット２６を螺合させてソケット２２にプラグ２１を取付ける。ナット２６の締込みは、ソケットハウジング４１の工具係合片４６にスパナ（図示せず）を係合させてソケットハウジング４１が調圧装置３に対して回転しないように保持しながら行う。
【００４８】
ナット２６を締込むことによって、プラグハウジング２３がソケットハウジング４１側に移動し、ソケットハウジング４１の前記円形凹部２８にプラグハウジング２３の円筒２９が嵌入する。そして、さらにナット２６を締込むことにより、図５（ｂ）に示すように、プラグ２１側弁体２５の押圧片３７がソケット２２側弁体４３の押圧片４９に当接し、両弁体２５，４３がそれぞれ圧縮コイルスプリング３９によって弾持された状態でプラグハウジング２３がソケットハウジング４１側に移動する。
【００４９】
このため、両弁体２５，４３の円錐３６，４８どうしの間隔は変わらないのに対して両ハウジング２３，４１の間隔が短くなるから、両弁体２５，４３が開くようになる。プラグハウジング２３は、図５（ｃ）に示すように、前記ストッパー面３２がソケットハウジング４１の端面に当接するまでソケットハウジング４１側に移動する。このように両ハウジングど２３，４１どうしが当接するまでナット２６を締込むことによって、図５（ｃ）に示すように両弁体２５，４３が全開状態になる。
【００５０】
ナット２６を締付けるときには図示していないトルクレンチを使用する。このトルクレンチの締付けトルク値は、予め定めた締結終了時（弁体全開時）の値に設定しておく。トルクレンチによる締付けが終了した後、ナット２６の先端面２６ａとソケットハウジング４１の工具係合片４６との間の寸法を計測する。ハウジング２３，４１どうしが接触し合うとともに弁体２５，４３が全開状態になっている場合には、この寸法が予め定めた寸法Ｄに達するようになる。
【００５１】
すなわち、ナット２６の締付けトルクとナット２６の締込量とを上述したように管理することによって、ハウジング２３，４１内の弁体２５，４３が必ず正常に開くようにプラグ２１とソケット２２とを連結することができる。
【００５２】
調圧装置３側の二つのソケット２２にそれぞれ油圧式緩衝器２側のプラグ２１を連結することによって、これらの油圧機器の油圧系が一端から他端まで連通する。この状態で油圧系に作動油を注入する。作動油を充填した後、従来通りの手法により油圧式緩衝器の性能検査・減衰力調整を行う。なお、作動油の充填、性能検査・減衰力調整は、油圧式緩衝器２と調圧装置３とが分断されている状態で行うこともできる。この場合には、油圧式緩衝器２にプラグ２１を接続するとともに、調圧装置３にソケット２２を接続した後に、油圧式緩衝器２と調圧装置３のそれぞれに対して作動油を充填し、油圧式緩衝器２と調圧装置３とにそれぞれ性能検査・減衰力調整を実施する。しかる後、油圧式緩衝器２および調圧装置３を車体に組付け、プラグ２１とソケット２２とを連結する。
【００５３】
前記検査・減衰力調整が終了した後、二つの油圧管連結装置４，５のソケット２２からプラグ２１をそれぞれ取外す。すなわち、調圧装置３に固定したソケット２２からナット２６を緩めてプラグ２１を取外す。ナット２６を緩めることによってプラグハウジング２３がソケットハウジング４１から離間する方向に移動し、弁体２５，４３どうしが離間するようになってこの弁体２５，４３が両ハウジング２３，４１内の内部油通路２４，４２を閉じる。弁体２５，４３が閉じて油圧系が分断された状態でナット２６が雄ねじ４５から外れる。
【００５４】
ソケット２２からプラグ２１を取外すことによって、油圧系が油圧式緩衝器２側と調圧装置３側とに作動油を充填した状態で分離される。そして、油圧式緩衝器２と耐圧ホース６およびプラグ２１からなる組立体と、調圧装置３とソケット２２からなる組立体とを車体の組立てラインで個別に車体に取付ける。なお、このように油圧管連結装置４，５をプラグ２１側とソケット２２側とに分断している状態で油圧式緩衝器２側または調圧装置３側の作動油の体積が温度低下などによって減少し、油通路が負圧になったたとしても、弁体２５，４３は圧縮コイルスプリング３９によって閉じる方向に付勢されているから、弁体２５，４３が開いて空気が吸込まれることはない。
【００５５】
油圧式緩衝器２および調圧装置３を車体に取付けた後、油圧式緩衝器２側の耐圧ホース６に接続したプラグ２１を調圧装置３側のソケット２２に連結する。すなわち、プラグ２１のナット２６をソケット２２の雄ねじ４５に螺着させ、注油前の接続手順と同じ手順によってナット２６を締付ける。このときには弁体２５，４３に油圧が作用しており、油圧に抗して弁体２５，４３を開かなければならない。
【００５６】
油圧が作用する弁体２５，４３を簡単に開けることができるように、この油圧管連結装置４，５は、二つの弁体２５，４３どうしが互いに接触する以前にナット２６のねじ部の先端部分を雄ねじ４５に螺合させることができるように形成している。すなわち、ナット２６を雄ねじ４５に螺合させる作業を前記油圧とは無関係に実施することができ、雄ねじ４５に螺合させたナット２６を更に締込むことによって、上述したように油圧が加えられている状態の弁体２５，４３を強制的に開くことができる。この結果、ワンタッチ式の連結構造を採る場合、言い換えれば弁体２５，４３を人力で直接押圧して開く場合に較べて、連結作業に必要な力は小さくてよい。
【００５７】
また、この油圧管連結装置４，５は、両弁体２５，４３どうしが互いに接触する以前に、ソケット２２のＯリング３８によってプラグ２１とソケット２２の接続部分がシールされた状態になるように形成している。このため、上述したようにナット２６を締込んで弁体２５，４３が開いたときに作動油が漏洩することはない。
【００５８】
また、油圧式緩衝器２側の油圧と調圧装置３側の油圧とが大きく異なり、二つの弁体２５，４３に加えられる油圧が大きく異なる場合でも、この油圧管連結装置４，５はナット２６を締込むことによって二つの弁体２５，４３が必ず全開になる。これは、弁体２５，４３が開くときの移動量が支持部材３８によって規制され、弁軸３４，４７の小径部３４ａ，４７ａと大径部３４ｂ，４７ｂとの境界になる端面３４ｃ，４７ｃが板部３８ａに当接した後はナット２６を締込むことによって他方の弁体が開くからである。
【００５９】
したがって、上述したように構成した油圧管連結装置４，５は、プラグ２１とソケット２２とを締結することによってこれら両者の弁体２５，４３が油圧に抗して開き、プラグ２１とソケット２２を分断することによって前記弁体２５，４３が閉じるから、専ら弁体を開閉させる作業を実施することなく、プラグ２１とソケット２２の連結作業・分断作業によって弁体２５，４３が自動的に開閉する。このため、油圧式緩衝器２および調圧装置３を車体に組付けるときや、油圧式緩衝器２を交換するときの作業が簡単になる。
【００６０】
また、ソケット２２の工具係合片４６を締結時のナット２６に対して予め定めた寸法だけ離間させているので、工具係合片４６とナット２６との間の寸法を予め定めた締結時の寸法Ｄと比較することによって、プラグ２１とソケット２２とを締結させた後に弁体２５，４３が開いているか否かを確認することができる。このため、従来の油圧管連結装置に較べてキャップの着脱作業や、ねじ孔の奥の弁体を探りながらの面倒な計測作業を実施しなくても弁体２５，４３が開いていることを簡単に確認することができる。
【００６１】
第２の実施の形態
プラグの円筒とソケットの円形凹部との間に介装するＯリングは、図７に示すようにソケット側に保持させることができる。
図７はＯリングをソケットに保持させた他の実施の形態を示す断面図で、同図（ａ）はソケットとプラグを離間させた状態を示し、同図（ｂ）はソケットとプラグを締結させた状態を示す。図７において前記図１〜図６で示したものと同一もしくは同等の部材については、同一符号を付し詳細な説明は省略する。
【００６２】
図７に示すソケット２２は、円形凹部２８の内周面に凹溝５１を環状に形成し、この凹溝５１内にプラグ２１の円筒２９との間をシールするためのＯリング５２を装着している。この実施の形態では、Ｏリング５２の耐圧性を高めるためのバックアップリング５３をＯリング５２とともに凹溝５２に装着している。
【００６３】
また、プラグ２１は、プラグハウジング２３にナット２６の締付側が係合し、締結するときの力がナット２６からプラグハウジング２３に直接伝達されるように形成している。さらに、弁体２５を支持する支持部材３８は、弁軸３４の小径部３４ａが貫通する円筒５４と、この円筒５４から径方向の外側に突出する脚部５５とから一体に形成している。なお、脚部５５は、円筒５４の周方向に間隔をおいて複数並設し、隣接する脚部５５の間の空間を作動油が流れることができるように形成している。
【００６４】
加えて、この実施の形態を採る場合でも弁体２５，４３はナット２６や円形凹部２８の内側に位置付けられ、プラグ２１とソケット２２を外した状態で弁体先端が誤って押圧されることがない構造を採っている。
図７に示したようにプラグ２１とソケット２２を形成しても前記第１の実施の形態を採るときと同等の作用効果を奏する。
【００６５】
なお、第１および第２の実施の形態では、プラグ２１とソケット２２を締結させるときにソケットハウジング４１の先端面がプラグハウジング２３の円筒基部側のストッパー面３２に当接する例を示したが、プラグハウジング２３の先端面（円筒２９の先端面）をストッパー面とし、締結時にこのストッパー面をソケットハウジング４１の円形凹部２８の内側底面に当接させてもよい。
【００６６】
また、上述した各実施の形態ではプラグ２１にナット２６を回転自在に設けた例を示したが、ソケット２２にナット２６を回転自在に保持させ、このナット２６が螺着する雄ねじ４５をプラグ２１に形成することもできる。
【００６７】
第３の実施の形態
請求項４に記載した発明に係る車両用油圧管連結装置の一実施の形態を図８ないし図１４によって詳細に説明する。
図８はこの実施の形態による油圧管連結装置を備えた緩衝装置の構成を示す図で、同図（ａ）は油圧系全体を示す背面図、同図（ｂ）は油圧式緩衝器の構成図である。図９は調圧装置の平面図、図１０は調圧装置の側面図で、同図はシリンダ部分を破断して描いてある。破断位置は図９中にX−X線によって示している。
【００６８】
図１１および図１２は調圧装置上部の縦断面図で、図１１は図９におけるXI−XI線断面図、図１２は図９におけるXII−XII線断面図である。図１３は弁体が閉じるまでプラグのねじ部材を緩めた状態を示す断面図、図１４はプラグをソケットから取外した状態を示す断面図である。これらの図において、前記図１ないし図７で説明したものと同一もしくは同等の部材については、同一符号を付し詳細な説明は省略する。
【００６９】
この実施の形態による油圧管連結装置４，５は、第２の連結部材としてのソケット２２を調圧装置３に一体的に形成している。この実施の形態においても車体右側の油圧管連結装置４と車体左側の油圧管連結装置５は同じ構造を採っているので、ここでは車体右側の油圧管連結装置４について説明する。車体右側の油圧管連結装置４に用いる部材に付した符号は、そのまま車体左側の油圧管連結装置５を構成する部材に当てはまる。
【００７０】
車体右側の油圧管連結装置４の前記ソケット２２は、調圧装置３のシリンダ１２の軸線方向の一端部（図１０、図１２においては上端部）で前記軸線方向とは直交する方向に延在する壁６１に弁孔６２を前記軸線方向とは直交する方向に穿設するとともに、この弁孔６２に支持部材３８を介して弁体４３を移動自在に装着することによって、シリンダ１２がソケットハウジングを構成するように形成している。車体右側の油圧管連結装置４の弁孔６２と、車体左側の油圧管連結装置５の弁孔６２は、図９に示すように、前記壁６１の内部に軸線方向が互いに平行になるように並設している。
【００７１】
この実施の形態を採るときに用いる調圧装置３は、図１０に示すように、シリンダ１２を上部シリンダ１２ａと下部シリンダ１２ｂとによって形成し、このシリンダ１２内にフリーピストン１３を嵌合させることによって、内部に高圧ガス室１４と、右側油圧系油室１６と、左側油圧系油室１７とを形成している。なお、このシリンダ１２は、前記第１の実施の形態を採るときと同様に、上部シリンダ１２ａと下部シリンダ１２ｂとを一体に形成することもできる。図１０は、車体の後方から見た状態で描いてあり、同図において右側が車体右側になっている。
【００７２】
車体右側の油圧管連結装置４の前記弁孔６２は、図１２において右側に位置する一端部に雌ねじ６３を形成するとともに、他端部に栓部材６４を螺着させ、中途部分に前記支持部材３８を保持させている。また、この弁孔６２は、前記支持部材３８と、図において符号６５で示す弁座との間に油通路６６によってシリンダ１２内の右側油圧系油室１６を接続している。弁座６５と雌ねじ６３との間に、プラグ２１の円筒２９が嵌合する円形凹部２８を形成している。
【００７３】
車体左側の油圧管連結装置５の弁孔６２は、車体右側の油圧管連結装置４の弁孔６２とは左右方向に対称になるように形成し、図１１に示すように、同図において左側に位置する一端部に雌ねじ６３を形成するとともに、他端部に栓部材６４を螺着させ、中途部分に前記支持部材３８を保持させている。車体左側の油圧管連結装置５の弁孔６２においては、弁孔６２における支持部材３８と弁座６５との間に、シリンダ１２の軸線方向に延びる第１の油通路６７と、前記軸線方向とは直交する方向に延びる第２の油通路６８と、上部シリンダ１２ａの周壁１２ｃにここを貫通するように形成した第３の油通路６９とを介して左側油圧系油室１７を接続している。
【００７４】
一方、第１の連結部材としてのプラグ２１は、この実施の形態ではプラグハウジング２３における円筒２９とは反対側の端部にかしめ式接続部材６ｂを介して耐圧ホース６を接続している。この耐圧ホース６は、この実施の形態では図８に示すように、途中を固定用ブラケット７０によって図示していないシャーシに固定している。
【００７５】
前記プラグハウジング２３は、外周部にねじ部材７１を回転自在に取付けている。このねじ部材７１は、前記ソケット２２の雌ねじ６３に螺着する雄ねじ７２を先端部に形成するとともに、図９および図１０に示すように外周部に工具係合部７１ａを形成し、プラグハウジング２３の外周部に突設したストッパー２３ａによって締込み方向への移動が阻止されている。
【００７６】
プラグ２１のソケット２２への締結は、ねじ部材７１の端面７１ｂ（図１１および図１２参照）とシリンダ１２との間の寸法Ｄと、ねじ部材７１を締込むときに用いるトルクレンチ（図示せず）の締付けトルク値とを第１、第２の実施の形態を採るときと同様に管理して行う。この締結時には、第１、第２の実施の形態を採るときと同様に、プラグハウジング２３のストッパー面３２または円筒２９の先端面をシリンダ１２に当接させる。
【００７７】
また、プラグ２１をソケット２２に締結させた状態でねじ部材７１を緩めることによって、図１３に示すように弁体２５，４３が閉状態になり、さらにねじ部材７１を緩めることによって図１４に示すようにソケット２２からプラグ２１を分離させることができる。
【００７８】
上述したように調圧装置３にソケット２２を一体的に形成しても第１の実施の形態を採るときと同等の効果を奏する。
この実施の形態によれば、ソケット２２は調圧装置３に直接支持され、プラグ２１はソケット２２に接続することによってソケット２２を介して前記調圧装置に支持されるから、従来の連結装置に較べて前記両連結部材（プラグ２１とソケット２２）を車体に固定する作業が不要になる。しかも、ソケット２２のハウジングが不要になるとともに、ソケット２２を調圧装置３に接続する油圧管が不要になる。
【００７９】
また、前記両連結部材を車体に固定するためのブラケットが不要になるとともに、車体に固定するのはプラグ２１を油圧式緩衝器２に接続する耐圧ホース６だけでよいから、この実施の形態による油圧管連結装置４，５を使用するために用いるブラケットは、前記耐圧ホース６を支えるための相対的に小さな固定用ブラケット７０のみになる。
【００８０】
さらに、ねじ部材７１に形成した雄ねじ７２をソケット２２の雌ねじ６３に螺着させる構造を採っているから、調圧装置３にソケット２２を一体的に形成する構造を採りながら、この調圧装置３に突出部が形成されるのを阻止することができる。このため、前記突出部が形成される場合に較べて、調圧装置３を組立ラインで搬送するときや車体に組付けるときに突出部用の特別な保護部材や緩衝部材が不要で、調圧装置３の取扱いが容易になる。
【００８１】
さらにまた、この実施の形態で示したように、左右の油圧管連結装置４，５のソケット２２を調圧装置３に一体的に形成する構造を採ることにより、プラグ２１をソケット２２に対して着脱させる作業を調圧装置３の位置、すなわち一箇所で行うことができるから、作業性を高くすることができる。特に、この実施の形態では、車体右側の油圧管連結装置４のプラグ２１を調圧装置３の車体右側に接続し、車体左側の油圧管連結装置５のプラグ２１を調圧装置３の車体左側に接続する構造を採っているから、プラグ２１の接続作業が簡単である。
【００８２】
第４の実施の形態
請求項３に記載した発明に係る車両用油圧管連結装置の一実施の形態を図１５および図１６によって詳細に説明する。
図１５は第１の連結部材を一体的に形成した油圧式緩衝器を示す側面図で、同図（ａ）は正立型油圧式緩衝器のピストンロッド上端部に第１の連結部材を設けた例を示し、同図（ｂ）は同じくシリンダの下端部に第１の連結部材を設けた例を示し、同図（ｃ）は倒立型油圧式緩衝器のシリンダ上端部に第１の連結部材を設けた例を示す。図１６は図１５（ａ）における第１の連結部材を装着する部分を拡大して示す断面図である。これらの図において、前記図１ないし図１４によって説明したものと同一もしくは同等の部材については、同一符号を付し詳細な説明は省略する。
【００８３】
この実施の形態では、油圧式緩衝器２に一体的に形成する第１の連結部材を前記第１〜第３の実施の形態を採るときに用いたソケット２２によって構成し、調圧装置３の油通路に接続する第２の連結部材をプラグ２１によって構成している。
【００８４】
図１５（ａ），（ｂ）に示す正立型油圧式緩衝器２は、シリンダ７の下端部を車輪側に連結し、ピストンロッド８１の上端部を図示していないシャーシに連結する構造を採っている。同図（ａ）に示す油圧式緩衝器２は、図１６に示すように、ピストンロッド８１の上端部にソケット２２を一体的に形成し、このソケット２２およびプラグ２１と、ピストンロッド８１に形成した油通路８２とによって、シリンダ７内の下部油室１０と耐圧ホース６とを連通させている。この耐圧ホース６は、図示していない調圧装置３の右側油圧系油室１６または左側油圧系油室１７に接続している。
【００８５】
同図（ｂ）に示す油圧式緩衝器２は、シリンダ７の下端部にソケット２２を一体的に形成し、このソケット２２およびプラグ２１と、シリンダ下部に形成した油通路８３とによって前記下部油室１０と耐圧ホース６とを連通させている。
【００８６】
図１５（ｃ）に示す倒立型油圧式緩衝器２は、ピストンロッド８１の下端部を車輪側に連結し、シリンダ７の上端部をシャーシに連結する構造を採っており、シリンダ７の上端部にソケット２２を一体に形成している。このソケット２２およびプラグ２１と、シリンダ７の上端部に形成した油通路８４とによって、シリンダ７の上部油室９と耐圧ホース６とを連通させている。
このように油圧式緩衝器２にソケット２２を一体的に形成する構造を採っても第３の実施の形態を採るときと同等の効果を奏する。
【００８７】
図１５（ａ）に示す構造を採る場合には、ピストンロッド８１を覆う筒状のカバー８５によってソケット２２とプラグ２１との連結部を保護することができる。同図（ｂ）に示す構造を採る場合には、下側のばね受け部材８６によってプラグ２１を保護することができ、同図（ｃ）に示す構造を採る場合には、シリンダ上部を覆う筒状カバー８７によってソケット２２とプラグ２１との連結部分を保護することができる。
【００８８】
なお、上述した各実施の形態では自動車の左右輪の油圧式緩衝器と調圧装置との間の油通路に本発明に係る油圧管連結装置を介装する例を示したが、本発明は、車体前側の油圧式緩衝器と車体後側の油圧式緩衝器との間に調圧装置を介装する場合にも適用することができる。
さらに、上述した各実施の形態では本発明を自動車用緩衝装置に適用する例を示したが、本発明は自動二輪車、自動三輪車、雪上車など他の車両の緩衝装置に適用することができる。
【００８９】
【発明の効果】
以上説明したように本発明によれば、第１の連結部材と第２の連結部材とを締結することによって両連結部材の弁体が油圧に抗して開き、両連結部材を分断することによって前記弁体が閉じるから、専ら弁体を開閉させる作業を実施することなく、両連結部材の連結作業・分断作業によって弁体が自動的に開閉する。
したがって、本発明に係る車両用油圧管連結装置は、油圧式緩衝器側の第１の連結部材と油圧装置側の第２の連結部材とを簡単に着脱することができる。しかも、ワンタッチ式の連結構造を採る場合に較べ、油圧に抗して簡単に両連結部材を締結させることができるばかりか、連結部にがたつきがないためシール性も優れている。
【００９０】
請求項２記載の発明によれば、工具係合部とナットとの間の寸法を予め定めた締結時の寸法と比較することによって、連結部材どうしを締結させた後に弁体が開いているか否かを確認することができる。
【００９１】
したがって、従来の連結装置に較べてキャップの着脱作業や、ねじ孔の奥の弁体を探りながらの面倒な計測作業を実施しなくても弁体が開いていることを簡単に確認することができるから、この確認作業に必要な時間を短縮することができ、コストダウンを図ることができる。
【００９２】
請求項３記載の発明によれば、第１の連結部材は油圧式緩衝器に直接支持され、第２の連結部材は第１の連結部材に接続することによって第１の連結部材を介して前記油圧式緩衝器に支持されるから、従来の連結装置に較べてこれら両連結部材を車体に固定する作業が不要になる。このため、組付工数が削減されてコストダウンを図ることができる。
【００９３】
また、前記両連結部材を車体に固定するためのブラケットが不要になるとともに、車体に固定するのは第２の連結部材を油圧装置に接続する油圧管だけでよいから、この発明に係る油圧管連結装置を使用するために用いるブラケットは、前記油圧管を支えるための相対的に小さな油圧管用ブラケットのみになる。
このため、ブラケットの小型化を図ることができ、ブラケット自体の材料費を低減できるばかりか、このブラケットを他の部材との干渉を避けながら最適な位置に配置し、前記油圧管の管長を最短にすることができるから、コストを低減することができる。
【００９４】
さらに、従来の連結装置に較べて第１の連結部材のハウジングが不要になるとともに、第１の連結部材を油圧式緩衝器に接続する油圧管が不要になるから、部品数を低減することができ、コストダウンを図ることができる。
【００９５】
請求項４記載の発明によれば、第２の連結部材は油圧装置に直接支持され、第１の連結部材は第２の連結部材に接続することによって第２の連結部材を介して前記油圧装置に支持されるから、従来の連結装置に較べてこれら両連結部材を車体に固定する作業が不要になる。このため、組付工数が削減されてコストダウンを図ることができる。
【００９６】
また、前記両連結部材を車体に固定するためのブラケットが不要になるとともに、車体に固定するのは第１の連結部材を油圧式緩衝器に接続する油圧管だけでよいから、この発明に係る油圧管連結装置を使用するために用いるブラケットは、前記油圧管を支えるための相対的に小さな油圧管用ブラケットのみになる。
このため、ブラケットの小型化を図ることができ、ブラケット自体の材料費を低減できるばかりか、このブラケットを他の部材との干渉を避けながら最適な位置に配置し、前記油圧管の管長を最短にすることができるから、コストを低減することができる。
【００９７】
さらに、従来の連結装置に較べて第２の連結部材のハウジングが不要になるとともに、第２の連結部材を油圧装置に接続する油圧管が不要になるから、部品数を低減することができ、コストダウンを図ることができる。
【００９８】
請求項５記載の発明によれば、油圧式緩衝器に一体的に形成した第１の連結部材や、油圧装置に一体的に形成した第２の連結部材には、他方の連結部材の雄ねじが螺着する雌ねじが形成されるから、油圧機器に連結部材を一体的に形成する構造を採りながら、この油圧機器に突出部が形成されるのを阻止することができる。
【００９９】
このため、前記突出部が形成される場合に較べ、連結部材を一体に形成した油圧機器を組立ラインで搬送するときや車体に組付けるときに突出部用の特別な保護部材や緩衝部材が不要で、取扱いが容易になるから、この油圧機器を車体に組付ける作業の作業性が向上する。
【図面の簡単な説明】
【図１】  本発明に係る油圧管連結装置を備えた自動車用緩衝装置の構成を示す図である。
【図２】  油圧装置の構成を示す断面図である。
【図３】  本発明に係る油圧管連結装置のプラグを示す図である。
【図４】  本発明に係る油圧管連結装置のソケットを示す図である。
【図５】  油圧管連結装置の動作を説明するための断面図である。
【図６】  耐圧ホースとの接続構造が異なるプラグを示す断面図である。
【図７】  Ｏリングをソケットに保持させた他の実施の形態を示す断面図である。
【図８】  油圧管連結装置を備えた緩衝装置の構成を示す図である。
【図９】  調圧装置の平面図である。
【図１０】  調圧装置の側面図である。
【図１１】  図９におけるXI−XI線断面図である。
【図１２】  図９におけるXII−XII線断面図である。
【図１３】  弁体が閉じるまでプラグのねじ部材を緩めた状態を示す断面図である。
【図１４】  プラグをソケットから取外した状態を示す断面図である。
【図１５】  第１の連結部材を一体的に形成した油圧式緩衝器を示す側面図である。
【図１６】  図１５（ａ）における第１の連結部材を装着する部分を拡大して示す断面図である。
【符号の説明】
２…油圧式緩衝器、３…調圧装置、４，５…油圧管連結装置、６…耐圧ホース、２１…プラグ、２２…ソケット、弁体２５，４３、２８…円形凹部、２９…円筒、３１…Ｏリング、３９…圧縮コイルスプリング、４６…工具係合片、６２…弁孔、６３…雌ねじ、７１…ねじ部材、７２…雄ねじ。
【図１】
0004213269.tif 000002
【図２】
0004213269.tif 000003
【図３】
0004213269.tif 000004
【図４】
0004213269.tif 000005
【図５】
0004213269.tif 000006
【図６】
0004213269.tif 000007
【図７】
0004213269.tif 000008
【図８】
0004213269.tif 000009
【図９】
0004213269.tif 000010
【図１０】
0004213269.tif 000011
【図１１】
0004213269.tif 000012
【図１２】
0004213269.tif 000013
【図１３】
0004213269.tif 000014
【図１４】
0004213269.tif 000015
【図１５】
0004213269.tif 000016
【図１６】
0004213269.tif 000017